(57)【要約】  本発明に係る開閉式小型電子機器においては、第１筐体１と第２筐体２とが互いに相対移動可能に連結され、第１筐体１の表面には第１ディスプレイ11が設置されると共に、第２筐体２の表面には第２ディスプレイ21が設置され、第２筐体２によって第１ディスプレイ11の表面を覆うと共に第２ディスプレイ21の表面を露出させた閉じ状態と、第１ディスプレイ11の表面と第２ディスプレイ21の表面とを略同一平面上に並べて露出させた開き状態との間で、第１筐体１と第２筐体２とが互いに相対移動可能であり、第１筐体１と第２筐体２には接面12、22がそれぞれ形成され、開き状態にて両接面12、22が互いに圧接されることによって、第１筐体１に対する第２筐体２の姿勢が保持される。
2009110454.tif 000002
【特許請求の範囲】
【請求項１】
第１筐体と第２筐体とが連結機構によって相対移動可能に連結され、第２筐体によって第１筐体の表面を覆う閉じ状態と、両筐体の表面を略同一平面上に並べて露出させた開き状態との間で、第１筐体と第２筐体とが相対移動可能であり、第１筐体と第２筐体には、前記開き状態にて付勢手段に付勢されて互いに接触すべき接面がそれぞれ形成されていることを特徴とする開閉式小型電子機器。
【請求項２】
第１筐体と第２筐体とが連結機構によって相対移動可能に連結され、第１筐体の表面には第１ディスプレイが設置されると共に、第２筐体の表面には第２ディスプレイが設置され、第２筐体によって第１ディスプレイの表面を覆うと共に第２ディスプレイの表面を露出させた閉じ状態と、第１ディスプレイの表面と第２ディスプレイの表面とを略同一平面上に並べて露出させた開き状態との間で、第１筐体と第２筐体とが相対移動可能であり、第１筐体と第２筐体には、前記開き状態にて付勢手段に付勢されて互いに接触すべき接面がそれぞれ形成されていることを特徴とする開閉式小型電子機器。
【請求項３】
第１筐体及び第２筐体の接面は第１ディスプレイ及び第２ディスプレイの表面とそれぞれ平行に形成されている請求項２に記載の開閉式小型電子機器。
【請求項４】
前記閉じ状態から開き状態への相対移動は、第２筐体が閉じ状態から第１筐体の表面に沿ってスライドして中間状態に達するスライド行程と、第２筐体が中間状態から回動して開き状態に達する回動行程とによって実行され、前記連結機構は、スライド行程では第１筐体に対する第２筐体のスライドを案内すると共に、回動行程では第１筐体に対して第２筐体を回動させるヒンジ機構を具え、該ヒンジ機構には、少なくとも回動行程の最終段階で第１筐体に対して第２筐体を閉じ状態に向けて付勢するバネが内蔵され、該バネによって前記付勢手段が構成されている請求項１乃至請求項３の何れかに記載の開閉式小型電子機器。
【請求項５】
前記ヒンジ機構は、
第１筐体に連繋して第２筐体のスライド方向に沿う摺動が可能な第１カム片と、
先端部が第２筐体に対して相対回転可能に連繋すると共に基端部を中心として第２筐体のスライド方向とは直交する軸回りに回転が可能なアームと、
該アームの基端部に相対回転不能に連繋する第２カム片
とを具え、第１カム片のカム面と第２カム片のカム面とが互いに相対回転可能に摺接し、前記バネによって両カム片がカム面どうしを圧接させる方向に付勢され、両カム面のカム作用によって第２筐体が閉じ状態に向けて駆動される請求項４に記載の開閉式小型電子機器。
【請求項６】
前記ヒンジ機構は、
第１筐体に相対回転不能に連繋する第１カム片と、
先端部が第２筐体に対して相対回転可能且つ第２筐体のスライド方向に沿う摺動が可能に連繋すると共に、基端部を中心として第２筐体のスライド方向とは直交する軸回りに回転が可能なアームと、
該アームの基端部に相対回転不能に連繋する第２カム片
とを具え、第１カム片のカム面と第２カム片のカム面とが互いに相対回転可能に摺接し、前記バネによって両カム片がカム面どうしを圧接させる方向に付勢され、両カム面のカム作用によって第２筐体が閉じ状態に向けて駆動される請求項４に記載の開閉式小型電子機器。
【請求項７】
前記ヒンジ機構は、両筐体と共に４節リンク機構を構成している請求項１乃至請求項６の何れかに記載の開閉式小型電子機器。
【発明の詳細な説明】
【技術分野】
【０００１】
本発明は携帯電話機等の小型電子機器に関し、特に、互いに開閉可能に連結された第１筐体と第２筐体からなる開閉式小型電子機器に関するものである。
【背景技術】
【０００２】
近年、携帯電話機においては、益々多機能化が進んでおり、これに伴ってディスプレイに表示すべき情報も多種多様となっているため、ディスプレイの大画面化が図られている。しかしながら、ディスプレイの画面の大きさは、筐体の大きさにより制限されるため、ディスプレイの大画面化にも限界がある。【０００３】
ところで、携帯用の表示装置において、２つの筐体を折り畳み可能に連結して、両筐体の内面にそれぞれディスプレイを配備し、２画面によって多くの情報を表示することが提案されている(例えば日本国公開特許公報平１１−１６７３５４号)。【０００４】
そこで、第１筐体と第２筐体を折り畳み可能に連結した折り畳み式携帯電話機において、第１筐体と第２筐体の内面にそれぞれディスプレイを配備する構成や、第１筐体と第２筐体をスライド可能に連結したスライド式携帯電話機において、第１筐体と第２筐体の表面にそれぞれディスプレイを配備する構成が考えられる。
【発明の開示】
【発明が解決しようとする課題】
【０００５】
しかしながら、第１筐体と第２筐体の内面にそれぞれディスプレイを配備した折り畳み式携帯電話機においては、両筐体を閉じた状態では２つのディスプレイが隠れてしまうので、両筐体を閉じた状態で電話通信を行なうときの情報表示を可能とするためには、両筐体を閉じた状態で露出する面に、更に第３のディスプレイを配備する必要があり、構成が複雑となる問題がある。
一方、第１筐体と第２筐体の表面にそれぞれディスプレイを配備したスライド式携帯電話機においては、両筐体を開いた状態で２つのディスプレイには段差が生じるため、２つのディスプレイの画面に跨って画像の表示を行なった場合、画像が大きく２つに分断されてしまい、特に連続する画像の場合に違和感が生じる問題があった。【０００６】
そこで本発明の第１の目的は、第１筐体と第２筐体からなる開閉式小型電子機器において、両筐体を開いた状態で、両筐体の表面を略同一平面上に揃えることが出来る開閉式小型電子機器を提供することである。
また、本発明の第２の目的は、第１筐体と第２筐体からなる開閉式小型電子機器において、両筐体を閉じた状態では、第３のディスプレイを用いることなく情報表示が可能であり、然も、両筐体を開いた状態では、２つのディスプレイの画面に跨って画像を表示した場合に画像の連続性を保つことが出来る開閉式小型電子機器を提供することである。
【課題を解決するための手段】
【０００７】
本発明に係る開閉式小型電子機器は、第１筐体(１)と第２筐体(２)とが連結機構によって互いに相対移動可能に連結され、第２筐体(２)によって第１筐体(１)の表面の一部若しくは全体を覆う閉じ状態と、両筐体(１)(２)の表面を略同一平面上に並べて露出させた開き状態との間で、第１筐体(１)と第２筐体(２)とが互いに相対移動可能である。
又、第１筐体(１)と第２筐体(２)には、前記開き状態にて付勢手段の付勢により互いに接触すべき接面(12)(22)がそれぞれ形成され、前記開き状態にて両接面が互いに接触することによって、第１筐体(１)に対する第２筐体(２)の姿勢が保持される。【０００８】
ここで、両筐体(１)(２)の表面を略同一平面上に並べて露出させた開き状態とは、両筐体(１)(２)の表面が同一平面上に揃い、若しくは両筐体(１)(２)の表面が許容される所定範囲内の段差をもって並んだ状態を意味する。
尚、第１筐体(１)の接面(12)と第２筐体(２)の接面(22)とは、前記付勢手段の付勢によって、一定値以上の面圧で互いに接触することが望ましい。【０００９】
上記開閉式小型電子機器によれば、第１筐体(１)に対して第２筐体(２)を閉じた状態では、第１筐体(１)の表面に第２筐体(２)の裏面が重ね合わされて、第１筐体(１)の表面の一部若しくは全体が隠れることになる。
第２筐体(２)を閉じ状態から開き状態まで開くと、第１筐体(１)の表面と第２筐体(２)の表面とが共に露出することになる。この開き状態では、第１筐体(１)の接面(12)に第２筐体(２)の接面(22)が接触して、両筐体(１)(２)が両表面を略同一平面上に揃えた一定の相対位置に保持される。【００１０】
又、本発明に係る開閉式小型電子機器は、第１筐体(１)と第２筐体(２)とが連結機構によって互いに相対移動可能に連結され、第１筐体(１)の表面には第１ディスプレイ(11)が設置されると共に、第２筐体(２)の表面には第２ディスプレイ(21)が設置されている。
該開閉式小型電子機器においては、第２筐体(２)によって第１ディスプレイ(11)の表面を覆うと共に第２ディスプレイ(21)の表面を露出させた閉じ状態と、第１ディスプレイ(11)の表面と第２ディスプレイ(21)の表面とを略同一平面上に並べて露出させた開き状態との間で、第１筐体(１)と第２筐体(２)とが互いに相対移動可能である。
又、第１筐体(１)と第２筐体(２)には、前記開き状態にて付勢手段の付勢により互いに接触すべき接面(12)(22)がそれぞれ形成され、前記開き状態にて両接面(12)(22)が互いに接触することによって、第１筐体(１)に対する第２筐体(２)の姿勢が保持される。【００１１】
ここで、第１ディスプレイ(11)の表面と第２ディスプレイ(21)の表面とを略同一平面上に並べて露出させた開き状態とは、両ディスプレイ(11)(21)の表面が同一平面上に揃い、若しくは両ディスプレイ(11)(21)の表面が許容される所定範囲内の段差をもって並んだ状態を意味する。
尚、第１筐体(１)の接面(12)と第２筐体(２)の接面(22)とは、前記付勢手段の付勢によって、一定値以上の面圧で互いに接触することが望ましい。【００１２】
上記本発明の開閉式小型電子機器によれば、第１筐体(１)に対して第２筐体(２)を閉じた状態では、第１筐体(１)の表面に第２筐体(２)の裏面が重ね合わされて、第１ディスプレイ(11)は隠れることになる。
この状態では、第２筐体(２)の表面に配備されている第２ディスプレイ(21)が露出しているので、第２ディスプレイ(21)を用いて情報の表示が可能である。【００１３】
第２筐体(２)を閉じ状態から開き状態まで開くと、第１ディスプレイ(11)が露出し、第１ディスプレイ(11)の表面と第２ディスプレイ(21)の表面とが略同一平面上に揃うことになる。この開き状態では、第１筐体(１)の接面(12)に第２筐体(２)の接面(22)が接触して、第１筐体(１)に対する第２筐体(２)の姿勢が保持されているので、両ディスプレイ(11)(21)の画面は確実に一定の位置関係に維持される。
この状態では、第１ディスプレイ(11)の画面と第２ディスプレイ(21)の画面とが略同一平面上に揃っているので、２つのディスプレイの画面に跨って画像を表示した場合に画像の連続性を保つことが出来る。【００１４】
具体的態様において、前記閉じ状態から開き状態への相対移動は、第２筐体(２)が閉じ状態から第１筐体(１)の表面に沿ってスライドして中間状態に達するスライド行程と、第２筐体(２)が中間状態から回動して開き状態に達する回動行程とによって実行される。
そして、前記連結機構は、スライド行程では第１筐体(１)に対する第２筐体(２)のスライドを案内すると共に、回動行程では第１筐体(１)に対して第２筐体(２)を回動させるヒンジ機構(３)を具え、該ヒンジ機構(３)には、少なくとも回動行程の最終段階で第１筐体(１)に対して第２筐体(２)を閉じ状態に向けて付勢するバネ(35)が内蔵され、該バネ(35)によって前記付勢手段が構成されている。【００１５】
前記ヒンジ機構(３)は、第１筐体(１)に連繋して第２筐体(２)のスライド方向に沿う摺動が可能な第１カム片(31)と、先端部が第２筐体(２)に対して相対回転可能に連繋すると共に基端部を中心として第２筐体(２)のスライド方向とは直交する軸回りに回転が可能なアーム(37)と、該アーム(37)の基端部に相対回転不能に連繋する第２カム片(32)とを具え、第１カム片(31)のカム面と第２カム片(32)のカム面とが互いに相対回転可能に摺接し、前記バネ(35)によって両カム片(31)(32)がカム面どうしを圧接させる方向に付勢され、両カム面のカム作用によって第２筐体(２)が閉じ状態に向けて駆動される。【００１６】
或いは、前記ヒンジ機構(３)は、第１筐体(１)に相対回転不能に連繋する第１カム片(31)と、先端部が第２筐体(２)に対して相対回転可能且つ第２筐体(２)のスライド方向に沿う摺動が可能に連繋すると共に、基端部を中心として第２筐体のスライド方向とは直交する軸回りに回転が可能なアーム(37)と、該アーム(37)の基端部に相対回転不能に連繋する第２カム片(32)とを具え、第１カム片(31)のカム面と第２カム片(32)のカム面とが互いに相対回転可能に摺接し、前記バネによって両カム片(31)(32)がカム面どうしを圧接させる方向に付勢され、両カム面のカム作用によって第２筐体(２)が閉じ状態に向けて駆動される。【００１７】
更に具体的な態様において、第１筐体(１)及び第２筐体(２)の接面(12)(22)は第１ディスプレイ(11)及び第２ディスプレイ(21)の表面とそれぞれ平行に形成されている。
これによって、第１筐体(１)及び第２筐体(２)の接面(12)(22)を可及的に広く形成することが可能となり、この結果、両筐体(１)(２)の接面(12)(22)が互いに圧接された状態における両ディスプレイ(11)(21)の姿勢がより安定したものとなる。
【発明の効果】
【００１８】
本発明に係る開閉式小型電子機器によれば、両筐体を開いた状態で、両筐体の表面を略同一平面上に揃えた一定の相対位置に保持することが出来る。
又、本発明に係る開閉式小型電子機器によれば、両筐体を閉じた状態では、第２ディスプレイによって情報表示が可能であるばかりでなく、両筐体を開いた状態では、第１ディスプレイと第２ディスプレイの両方によって情報表示が可能であり、両ディスプレイの画面に跨って画像を表示した場合に画像の連続性を保つことが出来る。
【図面の簡単な説明】
【００１９】
【図１】図１は本発明の第１の実施形態である開閉式小型電子機器において第２筐体が閉じ状態にある状態の斜視図である。
【図２】図２は同上状態の平面図である。
【図３】図３は同上状態の右側面図である。
【図４】図４は同上状態の左側面図である。
【図５】図５は同上状態でのヒンジ機構の位置を表わす斜視図である。
【図６】図６は本発明の第１の実施形態である開閉式小型電子機器において第２筐体が中間状態にある状態の斜視図である。
【図７】図７は同上状態の平面図である。
【図８】図８は同上状態の右側面図である。
【図９】図９は同上状態の左側面図である。
【図１０】図１０は同上状態でのヒンジ機構の位置を表わす斜視図である。
【図１１】図１１は本発明の第１の実施形態である開閉式小型電子機器において第２筐体が開き状態にある状態の斜視図である。
【図１２】図１２は同上状態の平面図である。
【図１３】図１３は同上状態の右側面図である。
【図１４】図１４は同上状態の左側面図である。
【図１５】図１５は同上状態でのヒンジ機構の位置を表わす斜視図である。
【図１６】図１６は本発明の第１の実施形態である開閉式小型電子機器の分解斜視図である。
【図１７】図１７は右側のヒンジ機構の斜視図である。
【図１８】図１８は該ヒンジ機構の正面図である。
【図１９】図１９は該ヒンジ機構の分解斜視図である。
【図２０】図２０は該ヒンジ機構のカム動作を表わす一連の斜視図(ａ)及び正面図(ｂ)である。
【図２１】図２１は左側のヒンジ機構の斜視図である。
【図２２】図２２は該ヒンジ機構の分解斜視図である。
【図２３】図２３は本発明の第２の実施形態である開閉式小型電子機器において第２筐体が閉じ状態にある状態の斜視図である。
【図２４】図２４は同上状態の平面図である。
【図２５】図２５は同上状態の右側面図である。
【図２６】図２６は同上状態の左側面図である。
【図２７】図２７は本発明の第２の実施形態である開閉式小型電子機器において第２筐体が中間状態にある状態の斜視図である。
【図２８】図２８は同上状態の平面図である。
【図２９】図２９は同上状態の右側面図である。
【図３０】図３０は同上状態の左側面図である。
【図３１】図３１は本発明の第２の実施形態である開閉式小型電子機器において第２筐体が開き状態にある状態の斜視図である。
【図３２】図３２は同上状態の平面図である。
【図３３】図３３は同上状態の右側面図である。
【図３４】図３４は同上状態の左側面図である。
【図３５】図３５は本発明の第２の実施形態である開閉式小型電子機器のヒンジ機構の動作を説明する一連の右側面図である。
【図３６】図３６は本発明の第２の実施形態である開閉式小型電子機器における第１ヒンジ機構の斜視図である。
【図３７】図３７は本発明の第２の実施形態である開閉式小型電子機器における第２ヒンジ機構の正面図である。
【図３８】図３８は第２ヒンジ機構の右側面図である。
【図３９】図３９は本発明の第２の実施形態である開閉式小型電子機器の要部を示す断面図である。
【図４０】図４０は図３９のＡ部を拡大した断面図である。
【図４１】図４１は一対の接面の他の構成例を表わす側面図である。
【図４２】図４２は一対の接面の更に他の構成例を表わす側面図である。
【符号の説明】
【００２０】
(１)  第１筐体
(11)  第１ディスプレイ
(12)  接面
(13)  溝
(14)  溝
(２)  第２筐体
(21)  第２ディスプレイ
(22)  接面
(24)  溝
(３)  ヒンジ機構
(31)  第１カム片
(32)  第２カム片
(35)  コイルバネ
(37)  アーム
(301)  第１ヒンジ機構
(302)  第２ヒンジ機構
(５)  コネクター
(６)  コネクター
(７)  テンションレバー
(８)  ケーブル
【発明を実施するための最良の形態】
【００２１】
以下、本発明の実施の形態につき、図面に沿って具体的に説明する。
本発明の第１の実施形態である開閉式小型電子機器は、図６に示す如く、扁平な段付きの直方体状を呈する第１筐体(１)と、扁平な段付きの直方体状を呈する第２筐体(２)とを具え、両筐体(１)(２)が互いに重ね合わされた状態で相対移動可能に連結されている。【００２２】
図１６の如く、第１筐体(１)の表面には第１ディスプレイ(11)が配備され、第２筐体(２)の表面には第２ディスプレイ(21)が配備される。
又、第１筐体(１)の表面には、第１ディスプレイ(11)の設置領域の奥方に、第１ディスプレイ(11)の表面と平行な接面(12)が形成され、第２筐体(２)の裏面には、第２ディスプレイ(21)の設置領域と重なる位置に、第２ディスプレイ(21)の表面と平行な接面(22)が形成されている。【００２３】
斯くして、第１筐体(１)と第２筐体(２)は、図１〜図４に示す如く第１筐体(１)上に第２筐体(２)が重なって第１ディスプレイ(11)が第２筐体(２)により覆い隠された閉じ状態と、図６〜図９に示す如く第２筐体(２)が第１筐体(１)の第１ディスプレイ(11)の表面に沿ってスライドし、第１ディスプレイ(11)が露出した中間状態と、図１１〜図１４に示す如く第１筐体(１)に対して第２筐体(２)が回動し、第１ディスプレイ(11)と第２ディスプレイ(21)とが同一平面上に揃った開き状態との間で、往復移動が可能となっている。【００２４】
図３に示す如く第１筐体(１)と第２筐体(２)とは、その右側部にてヒンジ機構(３)により互いに連結されると共に、図４に示す如く第１筐体(１)と第２筐体(２)とは、その左側部にてヒンジ機構(４)により互いに連結されている。【００２５】
右側のヒンジ機構(３)は、図１７〜図１９に示す如く、第１カム片(31)と、第１カム片(31)に対して相対回転不能に連結された直方体状の内側係合片(33)と、第１カム片(31)と摺接すべき第２カム片(32)と、第２カム片(32)に対してシャフト(36)を介して直角の姿勢で相対回転不能に連結されたアーム(37)と、該アーム(37)の先端部に対して相対回転可能に連結された直方体状の外側係合片(38)と、第１カム片(31)に対して第２カム片(32)を押圧するコイルバネ(35)と、該コイルバネ(35)を収容する円筒部材(34)とから構成されている。【００２６】
図５に示す如く第１筐体(１)の右側端部には、第２筐体(２)のスライド方向に沿って伸びる溝(13)が形成され、該溝(13)に右側のヒンジ機構(３)が摺動可能に係合し、前記内側係合片(33)は第１筐体(１)に対して相対回転不能、且つ溝(13)に沿って摺動可能に連結される。
一方、右側のヒンジ機構(３)の外側係合片(38)は第２筐体(２)に対して相対移動不能に連結される。【００２７】
左側のヒンジ機構(４)は、図２１及び図２２に示す如く、一対の円筒部(44)(44)を一体に具えたアーム(43)と、該アーム(43)を収容するカバー(41)とから構成され、アーム(43)の一方の円筒部(44)から他方の円筒部(44)へ向けてＵ字状に後述のケーブル(８)が貫通している。【００２８】
図５に示す如く第１筐体(１)の左側端部には、第２筐体(２)のスライド方向に沿って伸びる溝(14)が形成され、該溝(14)に左側のヒンジ機構(４)が摺動可能に係合し、前記一対の円筒部(44)(44)の内、下方の円筒部(44)は第１筐体(１)に対して相対回転可能、且つ溝(14)に沿って摺動可能に連結される。
一方、左側のヒンジ機構(４)の上方の円筒部(44)は第２筐体(２)に対して相対回転可能に連結される。【００２９】
又、図７に示す如く、第１ディスプレイ(11)と第２ディスプレイ(21)とは、ケーブル(８)を介して互いに電気接続されており、該ケーブル(８)の一方の端部が第１筐体(１)上のコネクター(５)に連結されると共に、該ケーブル(８)の他方の端部が第２筐体(２)上のコネクター(６)に連結されている。
そして、第１筐体(１)上のコネクター(５)から伸びるケーブル(８)は、左側のヒンジ機構(４)の内部を通過して、第２筐体(２)上のコネクター(６)へ至っている。【００３０】
左側のヒンジ機構(４)は、第２筐体(２)上のコネクター(６)との相対位置が不変であるのに対し、第１筐体(１)上のコネクター(５)との相対位置は、第２筐体(２)のスライドに伴って変化するために、ヒンジ機構(４)とコネクター(５)の間を伸びるケーブル(８)の長さには予め余裕が与えられており、その余裕による弛みを吸収するべく、第１筐体(１)上にはテンションレバー(７)が配備されている。
テンションレバー(７)は、その基端部が第１筐体(１)上に枢支されると共に、その先端部は第１筐体(１)上を左右に伸びるガイド溝(図示省略)に沿ってガイドされており、第１筐体(１)のスライドに連動して後述の如く揺動する構成となっている。【００３１】
図１〜図４に示す閉じ状態では、第１筐体(１)上に第２筐体(２)が重なっており、第１ディスプレイ(11)は第２筐体(２)によって覆い隠されているが、第２ディスプレイ(21)は露出している。
両側のヒンジ機構(３)(４)は、図５に示す如く垂直の姿勢で第１筐体(１)の溝(13)(14)の始端に位置している。【００３２】
このとき、右側のヒンジ機構(３)は、図２０(ａ)(ｂ)の状態(Ｓ１)に示す様に、第１カム片(31)と第２カム片(32)とがそれぞれのカム面(31a)(32a)にて互いに摺接している。
尚、両カム面(31a)(32a)のカム作用によって、第２カム片(32)には時計方向の回転トルクが発生し、この回転トルクは、ヒンジ機構(３)のアーム(37)を介して、第２筐体(２)に駆動力として伝えられるが、この駆動力は第１筐体(１)の表面によって受け止められるので、第２筐体(２)が移動することはない。【００３３】
又、図２に示す如くテンションレバー(７)は、ヒンジ機構(４)の近傍位置からコネクター(５)の上方位置まで伸びた姿勢で、ケーブル(８)の弛みを吸収している。【００３４】
閉じ状態から第２筐体(２)をスライド方向に押圧すると、第２筐体(２)が第１筐体(１)の第１ディスプレイ(11)の表面に沿ってスライドし、図６〜図９に示す中間状態に達する。このスライド行程において、両側のヒンジ機構(３)(４)は、垂直姿勢のまま第１筐体(１)の溝(13)(14)に沿って移動し、図１０に示す如く第１筐体(１)の溝(13)(14)の終端位置に達する。【００３５】
図６〜図９に示す如く、第２筐体(２)が中間状態に達すると、第１筐体(１)の第１ディスプレイ(11)が露出することになるが、第１ディスプレイ(11)と第２ディスプレイ(21)との間には段差が生じている。【００３６】
又、第２筐体(２)が中間状態に達すると、第２筐体(２)は、図８及び図９に示す如く第１筐体(１)の表面による受け止め状態が解除されることになる。
この時点で、右側のヒンジ機構(３)においては、図２０(ａ)(ｂ)の状態(Ｓ１)に示す様に、第１カム片(31)と第２カム片(32)とがそれぞれのカム面(31a)(32a)にて互いに摺接し、両カム面(31a)(32a)のカム作用によって、第２カム片(32)には時計方向の回転トルクが発生し、この回転トルクは、ヒンジ機構(３)のアーム(37)を介して、第２筐体(２)に駆動力として伝えられる。
従って、第２筐体(２)は前記駆動力を受けて回動し、図１１〜図１４に示す開き状態まで回動することになる。【００３７】
中間状態から開き状態への回動行程では、右側のヒンジ機構(３)は、図２０(ａ)(ｂ)のステップ(Ｓ２)に示す様に、第１カム片(31)のカム面(31a)と第２カム片(32)のカム面(32a)との相対的な摺動が進行し、この過程においても、両カム面(31a)(32a)のカム作用によって第２カム片(32)には時計方向の回転トルクが発生し、この回転トルクによって第２筐体(２)に対する駆動力が維持される。【００３８】
その後、第２筐体(２)が開き状態に達すると、両側のヒンジ機構(３)(４)は、図１５に示す如く第１筐体(１)の溝(13)(14)の終端位置にて所定の傾斜姿勢まで回動することになるが、右側のヒンジ機構(３)においては、図２０(ａ)(ｂ)の状態(Ｓ３)に示す様に、第１カム片(31)のカム面(31a)と第２カム片(32)のカム面(32a)とは、カム曲線の終端の直前で摺接しているため、依然としてカム作用が発揮され、第２カム片(32)に対する時計方向の回転トルクが維持されている。
従って、第２筐体(２)に対する駆動力は継続し、これによって、第２筐体(２)の裏面に形成されている接面(22)が、第１筐体(１)の表面に形成されている接面(12)に圧接され、この圧接状態が維持されることになる。【００３９】
この結果、第２筐体(２)の開き状態では、第２筐体(２)の第２ディスプレイ(21)の表面が、第１筐体(１)の第１ディスプレイ(11)の表面と同一平面上に揃い、この状態が保持される。
又、図１２に示す如くテンションレバー(７)は、ヒンジ機構(４)の近傍位置からコネクター(５)の上方位置まで伸びた姿勢で、ケーブル(８)の弛みを吸収する。【００４０】
第２筐体(２)を開き状態から閉じ状態まで閉じる際は、第２筐体(２)に対して逆方向の力をかける。これによって、第２筐体(２)は、図１１に示す開き状態から図６に示す中間状態を経て図１に示す閉じ状態に戻ることになる。【００４１】
本発明の第２の実施形態である開閉式小型電子機器は、図３１に示す如く、扁平な段付きの直方体状を呈する第１筐体(１)と、扁平な段付きの直方体状を呈する第２筐体(２)とを具え、両筐体(１)(２)が互いに重ね合わされた状態で相対移動可能に連結されている。【００４２】
第１筐体(１)の表面には第１ディスプレイ(11)が配備され、第２筐体(２)の表面には第２ディスプレイ(21)が配備される。
又、図２７に示す如く、第１筐体(１)の表面には、第１ディスプレイ(11)の設置領域の奥方に、第１ディスプレイ(11)の表面と平行な接面(12)が形成され、第２筐体(２)の裏面には、第２ディスプレイ(21)の設置領域と重なる位置に、第２ディスプレイ(21)の表面と平行な接面(22)が形成されている。【００４３】
斯くして、第１筐体(１)と第２筐体(２)は、図２３〜図２６に示す如く第１筐体(１)上に第２筐体(２)が重なって第１ディスプレイ(11)が第２筐体(２)により覆い隠された閉じ状態と、図２７〜図３０に示す如く第２筐体(２)が第１筐体(１)の第１ディスプレイ(11)の表面に沿ってスライドし、第１ディスプレイ(11)の一部若しくは全体が露出した中間状態と、図３１〜図３４に示す如く第１筐体(１)に対して第２筐体(２)が回動し、第１ディスプレイ(11)と第２ディスプレイ(21)とが同一平面上に揃った開き状態との間で、往復移動が可能となっている。【００４４】
図２５に示す如く第１筐体(１)と第２筐体(２)とは、その右側部にて第１ヒンジ機構(301)と第２ヒンジ機構(302)により互いに連結されると共に、図２６に示す如く第１筐体(１)と第２筐体(２)とは、その左側部にて第１ヒンジ機構(301)と第２ヒンジ機構(302)により互いに連結されている。
尚、第１筐体(１)と第２筐体(２)の両側に配備されている左右一対の第１ヒンジ機構(301)(301)と左右一対の第２ヒンジ機構(302)(302)はそれぞれ、左右対称の構造を有している。【００４５】
第１ヒンジ機構(301)は、図１７〜図１９に示すヒンジ機構(３)と同様の構造を有しており、図３６に示す如く、第１カム片(31)と、第１カム片(31)に対して相対回転不能に連結された直方体状の内側係合片(300)と、第１カム片(31)と摺接すべき第２カム片(32)と、第２カム片(32)に対してシャフト(36)を介して直角の姿勢で相対回転不能に連結されたアーム(37)と、該アーム(37)の先端部に対してシャフト(304)を介して相対回転可能に連結された直方体状の外側係合片(303)と、第１カム片(31)に対して第２カム片(32)を押圧するコイルバネ(図示省略)と、該コイルバネを収容する円筒部材(34)とから構成されている。【００４６】
これに対して、第２ヒンジ機構(302)は、図３７及び図３８に示す如く、シャフト(304)と、該シャフト(304)の一方の端部に相対回転可能に連結された直方体状の内側係合片(306)と、シャフト(304)の他方の端部に直角の姿勢で相対回転不能に連結されたアーム(307)と、該アーム(307)の先端部に対してシャフト(309)を介して相対回転可能に連結された直方体状の外側係合片(308)とから構成されている。【００４７】
図３９及び図４０に示す如く第２筐体(２)の側壁の内面には、第２筐体(２)のスライド方向に沿って伸びる一対の突条(23)(23)が形成され、突条(23)(23)の間に形成された溝(24)に、第１ヒンジ機構(301)の外側係合片(303)が摺動可能に係合している。
又、図３６に示す第１ヒンジ機構(301)の内側係合片(300)は、第１筐体(１)に対して相対回転不能且つ摺動不能に係合している。【００４８】
図３７及び図３８に示す第２ヒンジ機構(302)についても同様に、外側係合片(308)は、第２筐体(２)に形成された溝(図示省略)に摺動可能に係合すると共に、内側係合片(306)は第１筐体(１)に対して相対回転不能且つ摺動不能に係合している。【００４９】
図２３〜図２６に示す閉じ状態では、第１筐体(１)上に第２筐体(２)が重なっており、第１ディスプレイ(11)は第２筐体(２)によって覆い隠されているが、第２ディスプレイ(21)は露出している。【００５０】
このとき、第１ヒンジ機構(301)は、図３６に示す第１カム片(31)と第２カム片(32)とがカム曲線の傾斜領域で摺接しており、そのカム作用によって、図３５(ａ)に示す如く反時計方向の回転トルクＴ１を発生する。この回転トルクは、図２５に示す第２筐体(２)に駆動力として伝えられ、これによって第２筐体(２)の裏面は第１筐体(１)の表面に圧接され、第２筐体(２)は閉じ状態に維持される。【００５１】
閉じ状態から第２筐体(２)をスライド方向に押圧すると、第２筐体(２)が第１筐体(１)の第１ディスプレイ(11)の表面に沿ってスライドし、図２７〜図３０に示す中間状態に達する。このスライド行程において、第１及び第２ヒンジ機構(301)(302)は同じ姿勢を維持し、両ヒンジ機構(301)(302)の外側係合片(303)(308)が第２筐体(２)の溝(24)に対して相対的に摺動する。この様にして、第２筐体(２)は閉じ状態から中間状態へ向けて水平に移動する。
この過程で、第１ヒンジ機構(301)の第１カム片(31)と第２カム片(32)の摺接位置が、カム曲線の傾斜領域から平坦領域を経て反対側の傾斜領域に移行することにより、前記コイルバネによる付勢方向が反転することになる。【００５２】
図２７に示す如く、第２筐体(２)が中間状態に達すると、第１筐体(１)の第１ディスプレイ(11)の一部若しくは全体が露出することになるが、第１ディスプレイ(11)と第２ディスプレイ(21)との間には段差が生じている。【００５３】
又、第２筐体(２)が中間状態に達すると、第１ヒンジ機構(301)においては、第１カム片(31)と第２カム片(32)とがカム曲線の傾斜領域で互いに摺接し、そのカム作用によって、図３５(ｃ)に示す如く時計方向の回転トルクＴ２を発生する。この回転トルクは、図３３に示す第２筐体(２)に駆動力として伝えられ、これによって第２筐体(２)は、図３１〜図３４に示す開き状態まで回動し、最終的に第２筐体(２)の接面(22)が第１筐体(１)の接面(12)に圧接されて、第２筐体(２)は開き状態に維持される。【００５４】
この結果、第２筐体(２)の開き状態では、第２筐体(２)の第２ディスプレイ(21)の表面が、第１筐体(１)の第１ディスプレイ(11)の表面と同一平面上に揃い、この状態が保持される。【００５５】
上述の如く、本発明に係る開閉式小型電子機器によれば、第１筐体(１)と第２筐体(２)を閉じた状態では、第２ディスプレイ(21)によって情報表示が可能であるばかりでなく、両筐体(１)(２)を開いた状態では、第１ディスプレイ(11)と第２ディスプレイ(21)の両方によって情報表示が可能であり、両ディスプレイ(11)(21)の画面に跨って画像を表示した場合に画像の連続性を保つことが出来る。【００５６】
又、第１筐体(１)及び第２筐体(２)の接面(12)(22)はそれぞれ第１ディスプレイ(11)及び第２ディスプレイ(21)の表面と平行な向きに広く形成されているので、両接面(12)(22)が互いに圧接された状態における両ディスプレイ(11)(21)の姿勢がより安定したものとなる。【００５７】
更に又、図２３〜図４０に示す本発明の第２実施形態によれば、第１及び第２筐体(１)(２)の左右にはそれぞれ、同時に回動する第１ヒンジ機構(301)と第２リンク機構(302)が配備されて、４節リンク機構が構成されているので、スライド行程及び回動行程では第１筐体(１)に対する第２筐体(２)の姿勢が安定し、閉じ状態及び開き状態においても、第２筐体(２)の位置及び姿勢は確実なものとなる。【００５８】
尚、本発明の各部構成は上記実施の形態に限らず、特許請求の範囲に記載の技術的範囲内で種々の変形が可能である。
例えば図４１(ａ)(ｂ)に示す如く、第１筐体(１)と第２筐体(２)を閉じた状態で互いに対向すべき係合面(15)(25)を、ディスプレイ面に対して傾斜した斜面に形成することも可能である。
又、図４２(ａ)(ｂ)に示す如く、第１筐体(１)と第２筐体(２)を開いた状態で互いに圧接されるべき接面(16)(26)を、ディスプレイ面に対して傾斜した斜面に形成することも可能である。【００５９】
又、上記実施形態では、第１筐体(１)と第２筐体(２)の表面にそれぞれディスプレイ(11)(21)を配置した構成を説明したが、本発明はこの様な構成に限定されるものではない。例えば、第１筐体(１)と第２筐体(２)の表面に、それぞれディスプレイ(11)(21)に代えて、又はディスプレイ(11)(21)と共に、入力のためのキー操作部などのその他の機能部を設けてもよい。
更に、２つのディスプレイ(11)(21)の一方又は双方が、指やペン等の入力操作手段でタッチすることにより機器制御のための情報を入力する、タッチパネル機能を具えていてもよい。この場合、タッチパネルとして、例えば、表面型静電容量方式、投影型静電容量方式、電磁誘導方式、赤外線方式、抵抗膜方式、表面弾性波方式等、適宜な方式を用いることが出来る。
【図１】
2009110454.tif 000003
【図２】
2009110454.tif 000004
【図３】
2009110454.tif 000005
【図４】
2009110454.tif 000006
【図５】
2009110454.tif 000007
【図６】
2009110454.tif 000008
【図７】
2009110454.tif 000009
【図８】
2009110454.tif 000010
【図９】
2009110454.tif 000011
【図１０】
2009110454.tif 000012
【図１１】
2009110454.tif 000013
【図１２】
2009110454.tif 000014
【図１３】
2009110454.tif 000015
【図１４】
2009110454.tif 000016
【図１５】
2009110454.tif 000017
【図１６】
2009110454.tif 000018
【図１７】
2009110454.tif 000019
【図１８】
2009110454.tif 000020
【図１９】
2009110454.tif 000021
【図２０】
2009110454.tif 000022
【図２１】
2009110454.tif 000023
【図２２】
2009110454.tif 000024
【図２３】
2009110454.tif 000025
【図２４】
2009110454.tif 000026
【図２５】
2009110454.tif 000027
【図２６】
2009110454.tif 000028
【図２７】
2009110454.tif 000029
【図２８】
2009110454.tif 000030
【図２９】
2009110454.tif 000031
【図３０】
2009110454.tif 000032
【図３１】
2009110454.tif 000033
【図３２】
2009110454.tif 000034
【図３３】
2009110454.tif 000035
【図３４】
2009110454.tif 000036
【図３５】
2009110454.tif 000037
【図３６】
2009110454.tif 000038
【図３７】
2009110454.tif 000039
【図３８】
2009110454.tif 000040
【図３９】
2009110454.tif 000041
【図４０】
2009110454.tif 000042
【図４１】
2009110454.tif 000043
【図４２】
2009110454.tif 000044
【国際調査報告】
2009110454.tif 000045
2009110454.tif 000046
2009110454.tif 000047
2009110454.tif 000048